(57)【要約】【課題】  引手に着脱自在に取り付けることができるとともに、もっとも幅を有する引手内部にしっかりと嵌合固定することが可能な物品保持具を提供する。【解決手段】  タオル等の物品を保持するための保持部材１０と、引手３０の内部に嵌合する嵌合部材２０と、からなり、保持部材１０は、タオル等を掛けるための物品掛部１１と、該物品掛部１１の両端に延設され、嵌合部材２０を取り付けるための基部１２、１２と、を有し、嵌合部材２０は、保持部材１０の基部１２、１２から上方に伸縮自在に突出して引手内部上面３２ａを押圧する突出部２１、２１と、引手内部下面３２ｂを押圧する脚部２２、２２と、を有するものである。【選択図】  図１
2019198464.tif 000002
【特許請求の範囲】
【請求項１】
タオル等の物品を保持するための保持部材と、引手内部に嵌合する嵌合部材と、からなり、前記保持部材は、物品掛部と、該物品掛部の両端に延設され、前記引手内部に嵌合する前記嵌合部材を取り付けるための基部と、を有し、前記嵌合部材は、前記保持部材の前記基部から上方に伸縮自在に突出して引手内部上面を押圧する突出部と、引手内部下面を押圧する脚部と、を有することを特徴とする物品保持具。
【請求項２】
嵌合部材の突出部は、引手内部上面を押圧する押圧面と、基部の雄ねじ部にねじ込むために形成された雌ねじ部と、基部の雄ねじ部の周囲を被覆する被覆部と、を有することを特徴とする請求項１に記載の物品保持具。
【請求項３】
嵌合部材の脚部は、基部の水平軸に回動自在に軸着するための軸受と、引手内部下面を押圧する略平板状の脚部底面と、を有することを特徴とする請求項１又は２のいずれか一項に記載の物品保持具。
【発明の詳細な説明】
【技術分野】
【０００１】
本発明は、収納扉に設けられたレール状の引手に嵌合固定してタオル等の物品を収納扉の前面側に保持するための物品保持具に関する。
【背景技術】
【０００２】
従来、キッチン周辺にタオルハンガーを設けることで、調理中等に素早くタオルを使用することができるため便利であり、キッチン周辺にタオルハンガー備えるための種々のタオルハンガーが提案されている。例えば、特許文献１には、タオルハンガー４は、所定の長さを有するハンガーパイプ５の両端に一対となる掛止具６を設けて形成され、この掛止具６は、掛止具環状部材３の内部に対する差し込み掛止部８を設け、この差し込み掛止部８に、掛止具６を掛止具環状部材３に固定する弾性部材９を設けた構造になっているものが開示されている。
【先行技術文献】
【特許文献】
【０００３】
【特許文献１】特開２０１０―１７２５４０号公報
【発明の概要】
【発明が解決しようとする課題】
【０００４】
しかしながら、上述した特許文献１係る発明には、弾性部材９を備えることで着脱自在に掛止環状部材３によってタオルハンガーを容易に固定することができるが、レール状の引手である掛止環状部材３に、とりわけ収納扉前面側に下方に突出してなる指掛け部分に、負荷を掛けてしまい、引手である掛止環状部材３の変形等を引き起こしてしまうおそれがあるとともに、その変形に伴ってタオルハンガー自体が脱落してしまうおそれがある。また、レール状の引手上部に隙間が狭い場合には収納扉の開閉動作を阻害するおそれがあるとともに、引手の一部を覆い隠してしまうとキッチン全体の見映えを損ねてしまうおそれがある。
【０００５】
したがって、引手に着脱自在に取り付けることができるとともに、引手全体に掛けることなく引手内部にしっかりと嵌合固定することが可能な物品保持具を提供することを目的とする。
【課題を解決するための手段】
【０００６】
本発明の物品保持具は、上記課題に鑑み、タオル等の物品を保持するための保持部材と、引手内部に嵌合する嵌合部材と、からなり、前記保持部材は、物品掛部と、該物品掛部の両端に延設され、前記嵌合部材を取り付けるための基部と、を有し、前記嵌合部材は、前記保持部材の前記基部から伸縮自在に上方に突出して引手内部上面を押圧する突出部と、引手内部下面を押圧する脚部と、を有することを特徴とするものである。
【０００７】
また、上述した構成に加え、嵌合部材の突出部は、引手内部上面を押圧する押圧面と、基部の雄ねじ部にねじ込むために形成された雌ねじ部と、基部の雄ねじ部の周囲を被覆する被覆部と、を有することが好ましい。
【０００８】
また、上述した構成に加え、嵌合部材の脚部は、保持部材の基部の水平軸に回動自在に軸着するための軸受と、引手内部下面を押圧する略平板状の脚部底面と、を有することが好ましい。
【発明の効果】
【０００９】
請求項１記載の発明によれば、引手内部上面及び引手内部下面を押圧することで、扉正面側に下方に折り曲げられた指掛け部に負荷を掛けることなく、又、指掛け部を有しない引手に対しても抜け落ちずに嵌合固定することが可能である。また、引手の外周面全体に掛ける必要がないため、収納扉の開閉動作を阻害することなく、引手全体の形状を覆い隠すことなくキッチン全体の意匠性を維持した状態で嵌合固定すること可能である。
【００１０】
請求項２又は３記載の発明によれば、また、この物品保持具の基部に回動自在に軸着された脚部によって、引手内部下面が扉正面側に向かって下方に傾斜又は水平である場合でもしっかりと引手内部を押圧することができ、それに伴ってより一層指掛け部に負荷を掛けることなく嵌合固定することが可能である。
【図面の簡単な説明】
【００１１】
【図１】本発明の実施形態に係る物品保持具の一例を示す分解斜視図である。
【図２】図１の物品保持具を引手に嵌合固定した状態を示す斜視図である。
【図３】図１の物品保持具を引手に(a)嵌合固定する前の状態の基部周辺の内部構造、(b)嵌合固定した後の基部周辺の内部構造、を示す縦断面図である。
【図４】図１の物品保持具を収納扉の引手に嵌合固定した状態を示す側面図であり、(a)引手内部下面が傾斜面、(b)引手内部下面が水平面、を示している。
【発明を実施するための形態】
【００１２】
（実施形態）
本発明の実施形態について図面に基づいて詳細に説明する。なお、図２に示すように、本実施形態の物品保持具１を嵌合固定する収納扉３０に設けられた引手３２は、収納扉３０の幅方向にレール状の断面略倒U字状に形成され、引手内部下面３２ｂが傾斜面又は水平面であり、かつ、引手内部上面３２ａの端部より下方に折曲形成された指掛け部３２ｃを有するものである。
【００１３】
物品保持具１は、図１、図２に示すように、タオル等の物品を保持するための保持部材１０と、引手３０の内部に嵌合する嵌合部材２０と、からなり、保持部材１０は、タオル等を掛けるための物品掛部１１と、該物品掛部１１の両端に延設され、嵌合部材２０を取り付けるための基部１２、１２と、を有し、嵌合部材２０は、保持部材１０の基部１２、１２から上方に伸縮自在に突出して引手内部上面３２ａを押圧する突出部２１、２１と、引手内部下面３２ｂを押圧する脚部２２、２２と、を有するものである。
【００１４】
保持部材１０の物品掛部１１は、物品を通して掛けるための開口を有するように環状に形成されるとともに、側面方向からみて基部１２、１２よりも下方に位置するように緩やかな略S字状に折曲るように形成することで、保持部材１０が扉正面３２の方向に突出の程度を少なくして余計なスペースを取らずに物品掛部１１の開口面積を若干大きくすることでタオルを掛けやすくすることが可能である。
【００１５】
保持部材１０の基部１２、１２は、図１、図３に示すように、物品掛部１１の両側端の外側に配置されるとともに略円柱状に形成され、後述する突出部２１、２１の雌ねじ部２１ｃをねじ込んで突出部２１、２１を所定の長さに調整して引手内部上面３２ａを押圧するために、その基部１２、１２の中心付近から上方に突出した棒状の雄ねじ部１２ｂを有するものである。また、この基部１２、１２には、後述する突出部２１、２１の被覆部２１ｄを埋め込むための周溝部１２ｃと、この基部１２、１２の外周面には後述する嵌合部材２０の脚部２２、２２の軸受２２ａを回動自在に軸着するための水平軸１２ａと、を有するものである。
【００１６】
嵌合部材２０の突出部２１、２１は、図１、図３に示すように、引手内部上面３２ａを押圧する押圧面２１ａと、基部１２、１２の雄ねじ部１２ｂにねじ込むために、中心付近にナットを埋め込んで形成された雌ねじ部２１ｃと、基部１２、１２の雄ねじ部１２ｂの周囲を被覆する略円筒状の被覆部２１ｄと、を有するものである。また、この突出部２１、２１の外周面には、突出部２１、２１の回動操作をしやすくするための歯車形状の操作部２１ｂを有し、該操作部の直径は嵌合部材２０を引手３２の内部に固定した状態において、引手３２の内部から若干から外方に露出しない程度である引手内部上面３２ａ、又は、引手内部下面３２ｂの厚み方向の幅と同程度の最大径にすることが好ましく、嵌合部材２０を引手３２の内部に挿し込んだ状態で回動操作をしやすくすることが可能である。
【００１７】
嵌合部材２０の脚部２２、２２は、図１、図４に示すように引手内部下面３２ｂの傾斜面に合わせて脚部２２、２２を、基部１２、１２の水平軸１２ａに回動自在に軸着するための軸受２２ａと、該軸受２２ａより下方に向かって幅広に形成された台形状の脚部側面２２ｂと、該脚部側面２２ｂを架け渡すように延設され、引手内部下面３２ｂを押圧する略平板状の脚部底面２２ｃと、を有するものである。
【００１８】
次に、本実施形態の物品保持具１の使用方法について、図３に基づいて説明する。図３(a)に示すように、嵌合部材の２０の突出部２１の雌ねじ部２１ｃが、基部１２、１２の雄ねじ部１２ｂにねじ込まれることで、最も低い位置である被覆部２１ｄが周溝部１２ｃに完全に埋没した状態で引手３２の内部に挿入する。そのとき、基部１２、１２に回動自在に軸着された脚部２２、２２を引手内部下面３２ｂの傾斜に沿って脚部底面２２ｃを傾斜させる。
【００１９】
そして、図３(b)に示すように、突出部２１、２１の外周面上に設けられた操作部２１ｂを回動させ、突出部２１、２１の押圧面２１ａを引手内部上面３２ａに当接した後、所定の脚部２２、２２と突出部２１、２１とでしっかりと押圧させること嵌合固定することが可能である。
【００２０】
したがって、本発明の物品保持具１は、引手内部上面３２ａ及び引手内部下面３２ｂを押圧することで、扉正面３１側に下方に折り曲げられた指掛け部３２ｃに負荷を掛けることなく、又、指掛け部３２ｃを有しない引手に対しても抜け落ちずに嵌合固定することが可能である。
【００２１】
また、この物品保持具１の基部１２、１２に回動自在に軸着された脚部２２、２２によって、引手内部下面３２ｂが扉正面３１側に向かって下方に傾斜している場合でも、しっかりと引手３２の内部でもっとも幅を有する引手内部上面３２ａ及び引手内部下面３２ｂを押圧することで、指掛け部３２ｃにより一層負荷を掛けることなく嵌合固定することが可能である。
【００２２】
また、この引手３２の外周面全体に掛ける必要がないため、収納扉３０の開閉動作を阻害することなく、引手３２全体の形状を覆い隠すことなくキッチン全体の意匠性を維持した状態で嵌合固定すること可能である。
【００２３】
上記の実施形態では本発明の好ましい実施形態を例示したが、本発明は上記の実施形態に限定されるものではなく、特許請求の範囲に記載した範囲内で改善や変更が可能である。例えば、保持部材１０の物品掛部１１の一部分を切り欠いて袋等の把持部を引掛け得るように形成するものでもよい。
【符号の説明】
【００２４】
1…物品保持具、
10…保持部材、11…物品掛部、12…基部、12a…水平軸、12b…雄ねじ部、12c…周溝、
20…嵌合部材、21…突出部、21a…押圧面、21b…操作部、21c…雌ねじ部、21d…被覆部、22…脚部、22a…軸受、22b…脚部側面、22c…脚部底面、
30…収納扉、31…扉正面、32…引手、32a…引手内部上面、32b…引手内部下面、32c…指掛け部
【図１】
2019198464.tif 000003
【図２】
2019198464.tif 000004
【図３】
2019198464.tif 000005
【図４】
2019198464.tif 000006